(57)【要約】【課題】２つの表示画面を有する表示部を備えた表示装置において、観察者の負担を軽減しつつ、２次元表示または３次元表示を選択的に表示する。【解決手段】２つの表示画面４３ａ、４３ｂのなす角度αを可変するとともに、２つの表示画面４３ａ、４３ｂが上下方向または左右方向のいずれかに隣接するよう、表示部４３を回転自在に支持する。２つの表示画面４３ａ、４３ｂのなす角度αおよび隣接方向βを検出し、この検出結果に基づいて、２つの表示画面４３ａ、４３ｂが上下方向に所定角度をなして隣接する場合に３次元表示し、左右方向に隣接する場合に２次元表示をする。【選択図】図３
2012095729.tif 000002
【特許請求の範囲】
【請求項１】
隣接する２つの表示画面を有する表示部を備え、右目用および左目用の２枚の撮影画像からなる３次元表示用の撮影画像のうち、一方の撮影画像を一方の表示画面、他方の撮影画像を他方の表示画面にそれぞれ表示し、両撮影画像を結合させて表示する光学系を介して被写体の３次元表示が可能な表示装置において、
前記２つの表示画面のなす角度を可変にする角度可変機構と、
前記２つの表示画面が上下方向または左右方向のいずれかに隣接するよう、前記表示部を回転自在に支持する回転支持機構と、
前記２つの表示画面が上下方向または左右方向のいずれに隣接するかを検出するとともに、前記２つの表示画面のなす角度を検出する検出部と、
該検出部の検出結果に基づいて、前記２つの表示画面が上下方向に隣接し、且つ該２つの表示画面が所定範囲の角度をなす場合に、前記表示部に前記３次元表示用の撮影画像を表示させ、前記２つの表示画面が左右方向に隣接するか若しくは該２つの表示画面が略同一平面上にある場合に、２次元表示用の撮影画像を表示させる表示制御部とを備えたことを特徴とする表示装置。
【請求項２】
前記光学系が、前記一方の表示画面の表示光を透過させるとともに、前記他方の表示画面の表示光を反射させて前記両撮影画像を結合させる、前記２つの表示画面の間で着脱自在に設けられたハーフミラーであることを特徴とする請求項１記載の表示装置。
【請求項３】
前記角度可変機構が、前記２つの表示画面の間に設けられたヒンジ機構であることを特徴とする請求項１または２記載の表示装置。
【請求項４】
前記撮影画像が医用放射線画像であることを特徴とする請求項１〜３のいずれか1項記載の表示装置。
【請求項５】
前記被写体が乳房の場合には、前記表示制御部が、前記乳房の胸壁が水平となるように前記２つの表示画面に前記３次元表示用の撮影画像をそれぞれ表示することにより、前記乳房を３次元表示することを特徴とする請求項４記載の表示装置。
【発明の詳細な説明】
【技術分野】
【０００１】
本発明は隣接する２つの表示画面を有する表示部を備えた表示装置に関する。より詳しくは、２つの表示画面のうち、一方の表示画面に右目用の撮影画像、他方の表示画面に左目用の撮影画像を表示し、両撮影画像を結合する光学系を介して被写体の３次元表示を可能とする表示装置に関する。
【背景技術】
【０００２】
従来、視差を有する２枚の撮影画像を表示することにより、被写体を３次元表示できることが知られている。特許文献１には、２つの表示画面を上下方向に隣接させ、一方の表示画面に右目用の撮影画像、他方の表示画像に左目用の撮影画像をそれぞれ表示し、両撮影画像を光学系によって結合させて乳房を３次元表示する放射線画像表示装置が提案されている。
【先行技術文献】
【特許文献】
【０００３】
【特許文献１】特開２００８−１８８００３号公報
【発明の概要】
【発明が解決しようとする課題】
【０００４】
しかしながら、このような上下方向に隣接する２つの表示画面を有する表示部を備えた表示装置において、３次元表示と２次元表示とを選択的に表示させる場合、観察者によっては、２次元表示において視線の高さを変えずに各表示画面を観察できるため、２つの表示画面を左右方向に隣接させたい場合があり得る。
【０００５】
このため、２つの表示画面が上下方向または左右方向のいずれかに隣接するよう、表示部を回転可能にすると、観察者は表示画面の隣接方向が上下方向であることを確認した上で３次元表示用の撮影画像を２つの表示画面に表示させ、表示画面の隣接方向が左右方向であることを確認した上で２次元表示用の撮影画像を２つの表示画面に表示する必要があり、観察者の負担が増加する虞がある。
【０００６】
本発明の目的は、上記事情に鑑み、２つの表示画面を有する表示部を備えた表示装置において、観察者の負担を軽減しつつ、２次元表示または３次元表示を選択的に表示できる表示装置を提供する。
【課題を解決するための手段】
【０００７】
上記課題を解決するために、本発明による表示装置は、隣接する２つの表示画面を有する表示部を備え、右目用および左目用の２枚の撮影画像からなる３次元表示用の撮影画像のうち、一方の撮影画像を一方の表示画面、他方の撮影画像を他方の表示画面にそれぞれ表示し、両撮影画像を結合させて表示する光学系を介して被写体の３次元表示が可能な表示装置において、２つの表示画面のなす角度を可変にする角度可変機構と、２つの表示画面が上下方向または左右方向のいずれかに隣接するよう、表示部を回転自在に支持する回転支持機構と、２つの表示画面が上下方向または左右方向のいずれに隣接するかを検出するとともに、２つの表示画面のなす角度を検出する検出部と、この検出部の検出結果に基づいて、２つの表示画面が上下方向に隣接し、且つこの２つの表示画面が所定範囲の角度をなす場合に、表示部に３次元表示用の撮影画像を表示させ、２つの表示画面が左右方向に隣接するか若しくはこの２つの表示画面が略同一平面上にある場合に、２次元表示用の撮影画像を表示させる表示制御部とを備えたことを特徴とする。
【０００８】
ここで、本発明の表示装置における「所定範囲の角度」とは、予め定められた範囲の角度であり、望ましくは９０°以上〜１８０°未満の範囲、より望ましくは９５°以上〜１２０°未満の範囲の角度を意味するものである。本発明の表示装置における「２次元表示用の撮影画像を表示」とは、２つの表示画面のうち、少なくとも一方の表示画面に撮影画像を表示する意味であり、必ずしも両方の表示画面に撮影画像を表示する場合のみを意味するものではない。
【０００９】
また、本発明による表示装置は、光学系が、一方の表示画面の表示光を透過させるとともに、他方の表示画面の表示光を反射させて両撮影画像を結合させる、２つの表示画面の間で着脱自在に設けられたハーフミラーであってもよい。
【００１０】
また、本発明による表示装置は、角度可変機構が２つの表示画面の間に設けられたヒンジ機構であってもよい。また、本発明による表示装置は撮影画像が医用放射線画像であってもよい。さらに、本発明による表示装置は、被写体が乳房の場合には、表示制御部が、乳房の胸壁が水平となるように２つの表示画面に３次元表示用の撮影画像をそれぞれ表示することにより、乳房を３次元表示するものであってもよい。
【発明の効果】
【００１１】
本発明の表示装置によれば、２つの表示画面のなす角度を可変にする角度可変機構と、２つの表示画面が上下方向または左右方向のいずれかに隣接するよう、表示部を回転自在に支持する回転支持機構と、２つの表示画面が上下方向または左右方向のいずれに隣接するかを検出するとともに、２つの表示画面のなす角度を検出する検出部と、この検出部の検出結果に基づいて、２つの表示画面が上下方向に隣接し、且つこの２つの表示画面が所定範囲の角度をなす場合に、表示部に３次元表示用の撮影画像を表示させ、２つの表示画面が左右方向に隣接するか若しくは２つの表示画面が略同一平面上にある場合に、２次元表示用の撮影画像を表示させる表示制御部とを備えたことにより、観察者が２つの表示画面のなす角度および隣接方向を確認した上で２次元表示または３次元表示に切り替える必要がなく、観察者に負担をかけずに２次元表示または３次元表示を選択的に表示できる。
【図面の簡単な説明】
【００１２】
【図１】放射線画像撮影表示システムの概略構成図
【図２】放射線撮影装置の一部正面図
【図３】２つの表示画面が上下方向に隣接した放射線画像表示装置の概略構成図
【図４】モニタの背面図
【図５】モニタの側面図
【図６】２つの表示画面が左右方向に隣接した放射線画像表示装置の概略構成図
【発明を実施するための形態】
【００１３】
以下、図面を参照して本発明に係る表示装置の一実施形態について説明する。図１は本発明の一実施形態である放射線画像表示装置を用いた放射線画像撮影表示システムの概略構成図である。この放射線画像撮影表示システム１は乳房Ｍの放射線画像を撮影して表示するものであり、図１に示すように、放射線画像撮影装置１０および放射線画像表示装置４０から構成されている。
【００１４】
最初に、放射線画像撮影装置１０について説明する。放射線画像撮影装置１０は、乳房Ｍに所定の撮影方向から放射線を照射することで２次元撮影または３次元撮影を行い、乳房Ｍの２次元表示用または３次元表示用の放射線画像Ｇを取得し、この放射線画像Ｇを格納した画像ファイルＧＦを放射線画像表示装置４０に送信するものである。
【００１５】
放射線画像撮影装置１０は、図１に示すように、基台１１と、基台１１に対して上下方向（Ｚ方向）に移動可能であり、且つ回転可能な回転軸１２と、回転軸１２により基台１１と連結されたアーム部１３とを備えている。
【００１６】
アーム部１３はＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００１７】
撮影台１４の内部には、フラットパネルディテクタ等の放射線検出器１５と、放射線検出器１５からの電荷信号の読み出しを制御する検出器コントローラ３３が備えられている。また、撮影台１４の内部には、放射線検出器１５から読み出された電荷信号を電圧信号に変換するチャージアンプや、チャージアンプから出力された電圧信号をサンプリングする相関二重サンプリング回路や、電圧信号をデジタル信号に変換するＡ／Ｄ変換部等も設けられた回路基板等も備えられている。
【００１８】
また、撮影台１４はアーム部１３に対し回転可能に構成されているが、３次元撮影のときには基台１１に対してアーム部１３が回転した場合でも、撮影台１４の向きは基台１１に対し固定された向きにできる。
【００１９】
放射線検出器１５は、電荷信号の記録と読み出しを繰り返して行うことができるものであり、放射線の照射を直接受けて電荷を発生する、いわゆる直接型の放射線画像検出器を用いてもよいし、放射線を一旦可視光に変換し、その可視光を電気信号に変換する、いわゆる間接型の放射線画像の検出器を用いるようにしてもよい。
【００２０】
また、電荷信号の読出方式としては、ＴＦＴ（thin film transistor）スイッチをオン・オフさせることによって電荷信号が読み出される、いわゆるＴＦＴ読出方式のものを用いることが望ましいが、これに限らずその他のものを用いるようにしてもよい。
【００２１】
放射線照射部１６の内部には放射線源１７と、放射線源コントローラ３２が格納されている。放射線源コントローラ３２は、放射線源１７から放射線を照射するタイミングと、放射線源１７における放射線発生条件（管電流（ｍＡ）、照射時間（ｍｓ）、管電圧（ｋＶ）等）を制御するものである。
【００２２】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９とが設けられている。圧迫板１８の位置、圧迫厚は、圧迫板コントローラ３４により制御される。
【００２３】
制御部３０は、中央処理装置（ＣＰＵ）、半導体メモリやハードディスクやＳＳＤ等のストレージデバイス、入力部３０ａを備えている。制御部３０は、各種のコントローラ３１〜３４に対して所定の制御信号を出力し、放射線画像撮影装置１０の全体の制御を行うものである。
【００２４】
また、制御部３０は、２次元撮影または３次元撮影によって放射線検出器１５で検出された電荷信号に所定の信号処理を施した放射線画像信号に基づく放射線画像Ｇを記録し、画像ファイルＧＦに格納して放射線画像表示装置４０に送信する。
【００２５】
入力部３０ａは、たとえば、キーボードやマウス等のポインティングデバイスから構成されるものであり、２次元撮影または３次元撮影であるか、ＣＣ（頭尾方向）や、ＭＬＯ（内外斜位方向）等の撮影種類や、３次元撮影における、アーム部１３が放射線検出器１５の検出面１５ａに垂直な方向に対してなす角度である撮影角度θを含む撮影条件の入力や撮影開始の入力を受け付けるものである。
【００２６】
図２は放射線画像撮影装置１０の一部正面図である。放射線画像撮影装置１０の作用について、図１および図２を用いて説明する。まず、放射線画像撮影装置１０が乳房Ｍを２次元撮影する場合について説明する。撮影台１４の上に乳房Ｍが設置され、圧迫板１８により乳房Ｍを所定の圧力で圧迫する。
【００２７】
次に、入力部３０ａにおいて、撮影者による乳房Ｍの２次元撮影の指示が入力され、２次元撮影が開始する。制御部３０は入力された撮影種類を読み出し、撮影種類の情報をアームコントローラ３１に出力する。なお、本実施形態においては、撮影種類としてＣＣ（頭尾方向）が入力されたものとするが、特に限定されるものではない。
【００２８】
そして、アームコントローラ３１が、制御部３０から出力された撮影種類の情報を受け付け、図２の実線で示すような、アーム部１３が略垂直となるような制御信号を出力する。
【００２９】
そして、アームコントローラ３１が略垂直となった状態において、制御部３０は、放射線源コントローラ３２および検出器コントローラ３３に対して放射線の照射と２次元表示用の放射線画像（以下、２次元画像Ｇ２とする。）の読み出しを行う制御信号を出力する。
【００３０】
この制御信号に応じて、放射線源１７から放射線が照射され、乳房ＭをＣＣ（頭尾方向）で２次元撮影した放射線が放射線検出器２５によって検出され、検出器コントローラ３３によって放射線検出器２５から電荷信号が読み出される。この電荷信号に所定の信号処理を施した放射線画像信号に基づき、制御部３０は、乳房Ｍの２次元画像Ｇ２を記憶し、画像ファイルＧＦに２次元画像Ｇ２を格納して放射線画像表示装置４０に送信する。
【００３１】
次に放射線画像撮影装置１０が乳房Ｍを３次元撮影する場合について説明する。２次元撮影と同様に、撮影台１４の上に乳房Ｍが設置され、圧迫板１８により乳房Ｍが所定の圧力で圧迫される。
【００３２】
次に、入力部３０ａにおいて、撮影者による乳房Ｍの３次元撮影の指示が入力され、２次元撮影が開始する。制御部３０は入力された撮影種類を読み出し、撮影種類の情報をアームコントローラ３１に出力する。なお、本実施形態においては、撮影種類としてＣＣ（頭尾方向）が入力されたものとするが、特に限定されるものではない。
【００３３】
制御部３０は３次元撮影における互いに異なる２つの撮影角度θの組み合わせを読み出し、一方の撮影角度θの情報をアームコントローラ３１に出力する。本実施形態において、撮影角度θは、図２示すように時計回りを正方向、反時計回りを負方向とする。なお、本実施形態においては、撮影角度θ＝±２°が入力されたものとするが、特に限定されるものではない。
【００３４】
そして、アームコントローラ３１が、制御部３０から出力された撮影種類および撮影角度θ＝＋２°の情報を受け付け、アーム部１３が、図２に示すように、検出面１５ａに垂直な方向に対して＋２°傾くような制御信号を出力する。ここで、図１から明らかなように、回転軸２２は被写体の胸壁と略垂直であるため、放射線源１７は乳房Ｍの胸壁に対して略垂直な回転軸で回転する。
【００３５】
そして、アームコントローラ３１から出力された制御信号に応じてアーム部１３が＋２°傾いた状態において、制御部３０は、放射線源コントローラ３２および検出器コントローラ３３に対して放射線の照射と３次元表示用の放射線画像（以下、３次元画像Ｇ３とする。）を構成する右目用画像ＧＲの読み出しを行うよう制御信号を出力する。
【００３６】
この制御信号に応じて、放射線源１７が放射線を照射し、放射線検出器１５が照射された放射線を検出し、検出器コントローラ３３によって放射線検出器１５から電荷信号が読み出される。制御部３０が、この電荷信号に所定の信号処理を施した放射線画像信号に基づいて、右目用画像ＧＲを記憶する。
【００３７】
次に、アームコントローラ３１が、制御部３０から出力された撮影角度θ＝−２°の情報に基づき、アーム部１３が、図２に示すように、検出面１５ａに垂直な方向に対して−２°傾くような制御信号を出力する。
【００３８】
そして、アームコントローラ３１から出力された制御信号に応じてアーム部１３が左側に−２°傾いた状態において、制御部３０は、放射線源コントローラ３２および検出器コントローラ３３に対して放射線の照射と３次元画像Ｇ３を構成する左目用画像ＧＬの読み出しを行うよう制御信号を出力する。
【００３９】
この制御信号に応じて、放射線源１７が放射線を照射し、放射線検出器１５が照射された放射線を検出し、検出器コントローラ３３によって放射線検出器１５から電荷信号が読み出される。制御部３０は、この電気信号に所定の信号処理を施した放射線画像信号に基づいて、左目用画像ＧＬを記憶する。
【００４０】
制御部３０は、乳房Ｍの右目用画像ＧＲおよび左目用画像ＧＬを３次元画像として画像ファイルＧＦに格納して放射線画像表示装置４０に送信する。
【００４１】
次に放射線画像表示装置４０について説明する。放射線画像表示装置４０は、上下方向または左右方向に隣接可能な２つの表示画面４３ａ、４３ｂを有し、乳房Ｍの２次元表示または３次元表示が選択的に可能である。図３は、２つの表示画面４３ａ、４３ｂが上下方向に隣接した放射線画像表示装置４０の概略構成図である。
【００４２】
放射線画像表示装置４０は、図３に示すように、コンピュータ４１と、モニタ４２とから構成されている。コンピュータ４１には、本実施形態による表示装置として機能させるためのプログラムがインストールされている。
【００４３】
コンピュータ４１は、中央処理装置（ＣＰＵ）および半導体メモリやハードディスクやＳＳＤ等のストレージデバイス等を備えており、これらのハードウェアにより、制御部４１ａおよび表示制御部４１ｂを構成している。また、コンピュータ４１は不図示の入力手段を備えており、表示の開始の指示、２次元表示する２次元画像Ｇ２および３次元表示する３次元画像Ｇ３の予めの設定を受け付ける。
【００４４】
２次元画像Ｇ２の設定は、少なくとも１枚の２次元画像を設定すればよく、必ずしも２枚の２次元画像Ｇ２を設定する必要はない。２枚の２次元画像Ｇ２の設定としては、たとえば、同一乳房Ｍについての撮影日時の異なる２枚の２次元画像の組み合わせや、同一乳房Ｍについての撮影種類の異なる２枚の２次元画像の組み合わせや、３次元画像Ｇ３を構成する右目用画像ＧＲおよび左目用画像ＧＬを２次元画像の組み合わせとして設定してもよい。または、２枚の２次元画像Ｇ２の設定としては、異なる部位ついての２枚の２次元画像の組み合わせでもよい。設定に際しては、２枚の２次元画像Ｇ２を２つの表示画面のうち、どちらの表示画面に表示させるかについても予め設定する。
【００４５】
３次元表示する３次元画像Ｇ３の設定に際しては、２つの表示画面４３ａ、４３ｂに右目用画像ＧＲおよび左目用画像ＧＬをどちらの表示画面に表示させるのかを予め設定する。
【００４６】
制御部４１ａは、放射線画像撮影装置１０から画像ファイルＧＦを受信するとともに、コンピュータ４１の全体の制御をするものである。
【００４７】
表示制御部４１ｂは、２つの表示画面４３ａ、４３ｂの隣接方向βおよび２つの表示画面４３ａ、４３ｂのなす角度αに基づいて、モニタ４２に２次元画像Ｇ２を２次元表示させるか、３次元画像Ｇ３を３次元表示させるかを制御するものである。
【００４８】
図４はモニタ４２の背面図、図５はモニタ４２の側面図である。モニタ４２について図３ないし図５を用いて説明する。モニタ４２は、隣接した２つの表示画面４３ａ、４３ｂを有する表示部４３、基台４４、２つの表示画面４３ａ、４３ｂの間に設けられたハーフミラー４５、２つの表示画面４３ａ、４３ｂのなす角度αを可変にするヒンジ機構４６、表示部４３を基台４４に対して回転自在に支持する回転支持軸４７から主に構成されている。
【００４９】
モニタ４２は、２つの表示画面４３ａ、４３ｂの表示光を互いに直交する偏光とすることが可能である。これにより、観察者は、右目用画像ＧＲを観察する右目用偏光レンズと左目用画像ＧＬを観察する左目用偏光レンズを有する偏光メガネを装着し、左目用画像ＧＬおよび右目用画像ＧＲを左右の目でそれぞれ観察することで乳房Ｍを立体視できる。なお、２次元表示の際は各表示光を互いに直交する偏光にする必要はない。
【００５０】
ヒンジ機構４６は、表示画面４３ａが表示画面４３ｂに対して図３の矢印Ａ方向に回転することにより、２つの表示画面４３ａ、４３ｂが図中破線で示した略同一平面上になる姿勢と表示画面４３ａが表示画面４３ｂに対して傾いた姿勢、すなわち略同一平面にない姿勢に変化するよう、２つの表示画面４３ａ、４３ｂのなす角度αを可変にするものである。表示部４３は、２つの表示画面４３ａ、４３ｂのなす角度αを検出する不図示の角度センサを内蔵している。
【００５１】
ハーフミラー４５は、表示画面４３ａが表示画面４３ｂに対して傾いた姿勢において、表示画面４３ａの表示光を、偏光を乱さず図中実線で示すように反射させ、表示画面４３ｂの表示光を、偏光を乱さず図中破線で示すように透過させる。これにより、ハーフミラー４５は、３次元表示する際に、右目用画像ＧＲと左目用画像ＧＬをハーフミラー４５上で所定の視差を有するように重ねて結合させ、乳房Ｍを３次元表示する。なお、本実施形態では、表示画面４３ａが右目用画像ＧＲ、表示画面４３ｂが左目用画像ＧＬを表示するものであるが、特に限定されるものではない。
【００５２】
また、ハーフミラー４５は、図３の矢印Ｂ方向に回転可能とすることにより、右目用画像ＧＲと左目用画像ＧＬの重なりの調整が可能である。また、ハーフミラー４５は、表示部４３に着脱自在に取り付けられている。
【００５３】
表示部４３は、観察者の回転操作により、図４の矢印Ｃ方向に回転自在である。観察者の回転操作により、２つの表示画面４３ａ、４３ｂの隣接方向βが図４に示すような上下方向または図６に示すような左右方向のいずれかに変化する。ここで、隣接方向βとは、図４および図６に示すように、ヒンジ機構４６を介して２つの表示画面４３ａ、４３ｂが隣接する方向である。また、表示部４３は、前述のとおり、２つの表示画面４３ａ、４３ｂのなす角度αを検出できるとともに、２つの表示画面４３ａ、４３ｂの隣接方向βをも検出できる角度センサをも内蔵している。なお、上記の角度センサは歪センサで構成してもよいし、ジャイロセンサ等で構成するものであってもよく、特に限定されるものではない。
【００５４】
次に放射線画像表示装置４０の作用について説明する。制御部４１ａは、観察者による表示開始の指示および２次元画像Ｇ２および３次元画像Ｇ３の予めの設定を受け付ける。本実施形態では、２次元画像として撮影方向が同一の左右の乳房Ｍの２次元画像Ｇ２が設定されたものとするが、特に限定されるものではない。
【００５５】
そして、観察者からの表示開始の指示があると、表示制御部４１ｂが、表示部４３に内蔵された２つの表示画面４３ａ、４３ｂのなす角度αおよび隣接方向βに関する情報を入手する。表示制御部４１ｂは、２つの表示画面４３ａ、４３ｂのなす角度αが所定の角度範囲であり、且つ２つの表示画面４３ａ、４３ｂの隣接方向βが上下方向である場合、表示部４３に３次元画像Ｇ３を表示させる。
【００５６】
表示制御部４１ｂは、上下方向に隣接した２つの表示画面４３ａ、４３ｂが、望ましくは９０°以上〜１８０°未満の範囲、より望ましくは９５°以上〜１２０°未満の範囲にある場合は、予め設定された３次元画像Ｇ３を３次元表示させる。表示部４３は、図３に示すように、各乳房Ｍが鏡像関係を有し、且つ胸壁ＭＷが水平となる状態で左目用画像ＧＬおよび右目用画像ＧＲを表示する。
【００５７】
ここで、胸壁ＭＷが水平方向となるように表示するのは、前述のとおり、３次元画像Ｇ３は胸壁ＭＷと略垂直な回転軸１２で放射線源１７を回転させて撮影したものであり、視差方向に合わせて表示するためである。
【００５８】
そして、表示制御部４１ｂは、２つの表示画面４３ａ、４３ｂの隣接方向βが左右方向であるか若しくは２つの表示画面４３ａ、４３ｂが平行である場合に、表示部４３に２次元画像Ｇ２を表示させる。
【００５９】
本実施形態において、表示制御部４１ｂは、左右の乳房Ｍの２次元画像Ｇ２を図６に示すように、胸壁ＭＷを垂直方向とし、左右の乳房Ｍを胸壁ＭＷ合せとなるよう、表示部４３に２次元画像Ｇ２を２次元表示させる。また、２次元表示の際、ハーフミラー４５は表示部４３から取り外してもよく、若しくは図６の破線で示すように視線と平行な方向な向きとしてもよい。
【００６０】
このように、表示制御部４１ｂは、３次元表示中の表示部４３が、観察者の操作により、２つの表示画面４３ａ、４３ｂが略同一平面上になった場合や、２つの表示画面４３ａ、４３ｂが左右方向に隣接した場合に、表示部４３の３次元表示を２次元表示へ切り換える。また、２次元表示中の表示部が、観察者の操作により、２つの表示画面４３ａ、４３ｂが所定の範囲の角度をなし、且つ上下方向に隣接する場合、表示部４３の２次元表示を３次元表示へ切り換える。
【００６１】
以上の述べたとおり、本発明の一実施形態である放射線画像表示装置４０によれば、２つの表示画面４３ａ、４３ｂのなす角度αを可変にするヒンジ機構４６と、２つの表示画面４３ａ、４３ｂの隣接方向βを上下方向または左右方向のいずれかとなるよう、表示部４３を回転自在に支持する回転支持軸４７と、角度αと隣接方向βを検出する角度センサと、この角度センサの検出結果に基づいて、２つの表示画面４３ａ、４３ｂが上下方向に隣接し、且つ所定範囲の角度をなす場合に、表示部４３に３次元画像Ｇ３を３次元表示させ、２つの表示画面４３ａ、４３ｂが左右方向に隣接するか若しくは２つの表示画面４３ａ、４３ｂが略同一平面上にある場合に２次元画像Ｇ２を２次元表示させる表示制御部４１ｂを備えたことにより、観察者が２つの表示画面４３ａ、４３ｂのなす角度αや、隣接方向βを確認することなく、自動的に２次元表示または３次元表示されるため、観察者の負担を軽減しつつ、２次元表示または３次元表示を選択的に表示できる。
【００６２】
また、放射線画像表示装置４０によれば、ハーフミラー４５が２つの表示画面４３ａ、４３ｂの間で表示部４３に着脱自在で取り付けられているため、２次元表示の際に必要に応じて取り外すことで観察者が観察しやすくなる。
【００６３】
また、放射線画像表示装置４０によれば、ヒンジ機構４６が２つの表示画面の間に設けられているため、物理的なスペースを必要とせず、３次元表示の際の右目用画像ＧＲと左目用画像ＧＬとの重なり度合いを調整や、２次元表示の際に表示画面４３ａ、４３ｂを略同一平面上にして観察者が観察しやすくする調整がし易くなる。
【００６４】
なお、本実施形態において、放射線画像表示装置４０は乳房Ｍを表示するものとして説明したが特に限定されるものではなく、肺や胃等の部位を表示するものであってもよい。
【００６５】
なお、本実施形態においては、本発明に係る表示装置として放射線医用画像として説明したが、特に限定されるものではなく、通常のデジタルカメラ等で撮影された撮影画像を表示する表示装置であってもよい。
【符号の説明】
【００６６】
Ｇ２，Ｇ３      撮影画像
ＧＬ            左目用画像
ＧＲ            右目用画像
Ｍ              乳房
ＭＷ            胸壁
α              ２つの表示画面のなす角度
β              ２つの表示画面の隣接方向
４０            放射線画像表示装置
４１ｂ          表示制御部
４３            表示部
４３ａ，４３ｂ  表示画面
４５            ハーフミラー
４６            ヒンジ機構
４７            回転支持軸
【図１】
2012095729.tif 000003
【図２】
2012095729.tif 000004
【図３】
2012095729.tif 000005
【図４】
2012095729.tif 000006
【図５】
2012095729.tif 000007
【図６】
2012095729.tif 000008